(57)【要約】【課題】  使用済み生理用品本体の取り扱いを簡便にする。【解決手段】  複数の生理用品本体１０と、これらを収納する箱２０とを備えている。箱２０を形成する天壁２２が、箱２０から生理用品本体１０を取り出すために開閉可能な蓋２１を成す。この蓋２１には、生理用品本体１０が挿通可能な投入口２４が形成されている。この箱２０は、複数の生理用品本体１０を取り出した後には、使用済み生理用品本体１０の収納容器となり、箱２０内に使用済み生理用品本体１０がいっぱいになると、箱２０ごと燃えるゴミとして処分する。【選択図】  図１
2006325906.tif 000002
【特許請求の範囲】
【請求項１】
１以上の生理用品本体と、１以上の該生理用品本体を収納する箱とを備えている生理用品において、
前記箱を形成するいずれかの壁が、該箱から前記生理用品本体を取り出すために開閉可能な蓋の少なくとも一部を成し、
前記箱を形成するいずれかの壁に、一つの前記生理用品本体が挿通可能な投入口が形成され、
前記蓋を閉じた状態に保持しておく閉状態保持手段を有している、
ことを特徴とする生理用品。
【請求項２】
請求項１に記載の生理用品において、
前記投入口を塞ぐことができる開閉可能な投入口用蓋が設けられている、
ことを特徴とする生理用品。
【請求項３】
請求項２に記載の生理用品において、
前記投入口用蓋には、摘みが設けられている、
ことを特徴とする生理用品。
【請求項４】
１以上の生理用品本体と、１以上の該生理用品本体を収納する箱とを備えている生理用品において、
前記箱を形成するいずれかの壁が、該箱から前記生理用品本体を取り出すために開閉可能な蓋の少なくとも一部を成し、
前記箱を形成するいずれかの壁に、一つの前記生理用品本体が挿通可能な投入口の形成予定領域の外縁の一部にミシン目が形成され、該ミシン目を切断することで、該投入口が形成されると共に該投入口を塞ぐことができる開閉可能な投入口用蓋が形成され、
前記蓋を閉じた状態に保持しておく閉状態保持手段を有している、
ことを特徴とする生理用品。
【請求項５】
請求項２から４のいずれか一項に記載の生理用品において、
前記投入口用蓋を閉状態に保持しておく閉状態保持手段を有している、
ことを特徴とする生理用品。
【請求項６】
請求項１から５のいずれか一項に記載の生理用品において、
前記投入口が形成されている壁は、前記蓋を成す壁である、
ことを特徴とする生理用品。
【請求項７】
請求項１から６のいずれか一項に記載の生理用品において、
前記投入口には、該投入口を塞ぐシートが設けられ、
前記シートには、一つの前記生理用品本体が挿通可能な切込みが入れられている、
ことを特徴とする生理用品。
【請求項８】
請求項１から７のいずれか一項に記載の生理用品において、
前記箱の内側には、該箱の内部から外部へ液体が漏れでないよう防水処理が施されている、
ことを特徴とする生理用品。
【請求項９】
請求項１から８のいずれか一項に記載の生理用品において、
前記箱は、前記投入口が形成されている壁と対向する底壁を有し、
前記底壁の外面には、防水処理が施されている、
ことを特徴とする生理用品。
【請求項１０】
請求項１から９のいずれか一項に記載の生理用品において、
前記蓋を閉じた状態に保持しておく前記閉状態保持手段は、
前記蓋の縁、又は、該蓋に隣接する壁の該蓋側の縁に施された粘着材である、
ことを特徴とする生理用品。
【請求項１１】
請求項１０に記載の生理用品において、
前記粘着材が施されている面には、該粘着材に対して容易に剥離可能な剥離紙が設けられている、
ことを特徴とする生理用品。
【請求項１２】
請求項１から１１のいずれか一項に記載の生理用品において、
複数の前記生理用品本体と、該複数の生理用品を収納する袋と、該複数の生理用品本体が収納されている袋を収納する前記箱と、
を備えていることを特徴とする生理用品。
【請求項１３】
請求項１から１２のいずれか一項に記載の生理用品において、
使用済み生理を入れるための予備箱が折り畳まれた状態、又は該予備箱の展開品が折り畳まれた状態で、前記箱内に収納されている、
ことを特徴とする生理用品。
【発明の詳細な説明】
【技術分野】
【０００１】
本発明は、１以上の生理用品本体と、１以上の該生理用品本体を収納する箱とを備えている生理用品に関する。
【背景技術】
【０００２】
従来、使用済み生理用品本体を収納するものとしては、例えば、以下の特許文献１に開示されている樹脂製の汚物収納容器がある。
【０００３】
【特許文献１】特開平１１−３３２７９３号公報
【発明の開示】
【発明が解決しようとする課題】
【０００４】
しかしながら、従来の汚物収納容器では、樹脂製の汚物収納容器内にビニール袋をセットし、このビニール袋の中に使用済み生理用品本体を入れ、この容器が一杯になると、使用済み生理用品本体が入っているビニール袋を容器から取り出して、このビニール袋ごと捨て、再び、別のビニール袋を容器にセットしなければならない上に、汚物収納容器を定期的に洗浄する必要もあり、使用済み生理用品の取り扱いが面倒であるという問題点がある。
【０００５】
本発明は、このような従来の問題点に着目してなされたもので、使用済み生理用品の取り扱いを簡便にすることができる生理用品を提供することを目的とする。
【課題を解決するための手段】
【０００６】
前記問題点を解決するための生理用品に係る発明は、
１以上の生理用品本体と、１以上の該生理用品本体を収納する箱とを備えている生理用品において、
前記箱を形成するいずれかの壁が、該箱から前記生理用品本体を取り出すために開閉可能な蓋の少なくとも一部を成し、
前記箱を形成するいずれかの壁に、一つの前記生理用品本体が挿通可能な投入口が形成され、
前記蓋を閉じた状態に保持しておく閉状態保持手段を有していることを特徴とする。
【０００７】
ここで、前記生理用品において、
前記投入口を塞ぐことができる開閉可能な投入口用蓋が設けられていることが好ましい。
【０００８】
また、前記問題点を解決するための生理用品に係る他の発明は、
１以上の生理用品本体と、１以上の該生理用品本体を収納する箱とを備えている生理用品において、
前記箱を形成するいずれかの壁が、該箱から前記生理用品本体を取り出すために開閉可能な蓋の少なくとも一部を成し、
前記箱を形成するいずれかの壁に、一つの前記生理用品本体が挿通可能な投入口の形成予定領域の外縁の一部にミシン目が形成され、該ミシン目を切断することで、該投入口が形成されると共に該投入口を塞ぐことができる開閉可能な投入口用蓋が形成され、
前記蓋を閉じた状態に保持しておく閉状態保持手段を有していることを特徴とする。
【発明の効果】
【０００９】
本発明によれば、生理用品本体が収納されている箱自体が、使用済み生理用品本体の収納容器となるため、この箱内に使用済み生理用品本体がいっぱいになったときには、この箱ごと燃えるゴミとして処分することができる。したがって、使用済み生理用品本体の取り扱いを簡便にすることができる。
【発明を実施するための最良の形態】
【００１０】
以下、本発明に係る生理用品の各実施形態について、図面を用いて説明する。
【００１１】
まず、図１〜図３を用いて、生理用品の第１の実施形態について説明する。
【００１２】
本実施形態の生理用品は、図１に示すように、一般的にナプキンと呼ばれている複数の生理用品本体１０と、複数の生理用品本体１０を収納するビニール袋１１と、複数の生理用品本体１０が詰め込まれているビニール袋１１を収納する箱２０と、を備えている。
【００１３】
複数の生理用品本体１０が詰められているビニール袋１１は、ほぼ直方体形状を成している。
【００１４】
箱２０も、複数の生理用品本体１０が詰められているビニール袋１１の形状に合わせて、直方体形状を成している。この箱２０は、長方形の天壁２２と、天壁２２に対向している長方形の底壁２７と、互いに向かい合っている一対の第一側壁２５ａ,２５ｂと、同じく互いに向かい合っている一対の第二側壁２６ａ,２６ｂと、を有している。
【００１５】
長方形の天壁２２は、箱２０の蓋２１の一部を形成し、長方形の天壁２２の長辺の一つが第一側壁２５ｂの上縁に連結し、この第一側壁２５ｂの上縁を基部として、この天壁２２が揺動可能になっている。天壁２２の他の３辺には、天壁２２に対して垂直な鍔２３,２３,２３が設けられている。この天壁２２と各鍔２３,２３,２３とで、箱２０の蓋２１を形成している。箱２０の以上の構成部材、つまり、蓋２１、底壁２７、一対の第一側壁２５ａ,２５ｂ、一対の第二側壁２６ａ,２６ｂは、紙で形成されている。この箱２０は、一枚の紙に、この箱２０の展開図を描き、この展開図が示す線に沿って紙を切断し、ある壁に対して、隣接する他の壁を折り曲げて組み立てる。また、例えば、第一側壁と第二側壁とのつなぎ目には、接着剤を塗布するか、粘着テープを施すかして、隣合う壁相互間の隙間を無くす。
【００１６】
天壁２２のほぼ中央には、一つの生理用品本体１０が挿通可能な投入口２４が形成されている。この天壁２２の裏面には、投入口２４を塞ぐように、ビニールシート３３が貼り付けられ、このビニールシート３３に、投入口２４の端から端まで伸びる切込み３４が形成されている。この天壁２２の表面には、投入口２４を塞ぐことができる投入口用蓋２９が開閉可能に設けられている。投入口２４の縁には、マジックテープ（登録商標）３２ａが貼り付けられている。また、投入口用蓋２９の裏面であって、この投入口用蓋２９を閉じた際に、天壁２２のマジックテープ３２ａの位置と対応する位置にも、マジックテープ３２ｂが貼り付けられている。すなわち、これらマジックテープ３２ａ，３２ｂは、投入口用蓋２９を閉状態に保持しておく閉状態保持手段を構成している。なお、ここでは、閉状態保持手段として、マジックテープ３２ａ，３２ｂを用いているが、この替わりに、投入口用蓋２９の裏面と天壁２２の表面とのうち、一方の面に、粘着材を施し、他方の面に、この粘着材に対して粘着及び剥離可能なシートを貼り付けてもよい。但し、他方の面自体が、粘着材に対して粘着及び剥離可能なものであれば、このようなシートを貼り付ける必要がないことは言うまでもない。
【００１７】
投入口用蓋２９の裏面には、マジックテープ３２ａの他に、剥離紙付の粘着テープ３５も貼り付けられている。
【００１８】
第一側壁２５ａの上部、一対の第二側壁２６ａ，２６ｂの上部には、それぞれ、粘着テープ３０,３０,３０が貼り付けられている。この粘着テープ３０は、図２に示すように、その上縁が側壁２５ａ，２６ａ，２６ｂの上縁に一致するように、その下半分のみが側壁２５ａ，２６ａ，２６ｂに張り付いている。この粘着テープ３０の上半分には、剥離紙３１が貼り付けられている。
【００１９】
一対の側壁２５ａ，２５ｂの内面、一対の第二側壁２６ａ，２６ｂの内面、底壁２７の内面には、ポリエチレン等の樹脂２０がラミネートされており、箱２０の内部から外部へ液体が漏れ出るのを防げるようになっている。なお、本実施形態では、蓋２１の内面にラミネート加工を施していないが、この蓋２１の内面も、他の壁の内面と同様に、ラミネート加工を施してもよい。また、箱２０の設置場所がトイレ等の水場であることを考慮して、底壁２７の外面もラミネート加工されている。
【００２０】
次に、以上で説明した本実施形態の生理用品の使用方法について説明する。
【００２１】
本実施形態の生理用品は、製造現場からの出荷段階では、複数の生理用品本体１０が詰められたビニール袋１１が箱２０内に収められている。箱２０の蓋２１及び投入口用蓋２９は、いずれも閉状態である。蓋２１を閉状態に保持しておく粘着テープ３０には、剥離紙３１が貼り付けられた状態になっている。また、投入口用蓋２９の裏面の粘着テープ３５も剥離紙が貼り付けられた状態になっている。
【００２２】
ユーザがこの生理用品を使用する際には、まず、図１に示すように、箱２０の蓋２１を開け、この箱２０内から複数の生理用品本体１０が詰められたビニール袋１１を取り出す。そして、このビニール袋１１の一部を破いて、生理用品本体１０をビニール袋１１から取り出して、この生理用品本体１０を使用する。
【００２３】
一方、ビニール袋１１が取り出された箱２０に関しては、図３に示すように、蓋２１を閉状態に保持しておく粘着テープ３０から剥離紙３１を剥がし、蓋２１を閉状態にして、蓋２１の各鍔２３に、粘着テープ３０を貼り付けて、この蓋２１の外周を密封する。そして、この箱２０をトイレ等に置く。
【００２４】
ユーザがトイレ等で使用済みの生理用品本体１０を捨てる際には、図３に示すように、このトイレ等に置かれている箱２０の投入口用蓋２９を開けて、投入口２４の切込み３４から使用済みの生理用品本体１０を箱２０内に入れ、投入口用蓋２９を閉じる。このとき、投入口用蓋２９の裏面に設けられているマジックテープ３２ｂが、天壁２２に設けられているマジックテープ３２ａに張り付き、この投入口用蓋２９は、閉状態に保持される。
【００２５】
箱２０内で、使用済みの生理用品本体１０がいっぱいになると、つまり、ビニール袋１１内に詰められていた複数の生理用品本体１０を使い切ると、投入口用蓋２９の裏の粘着テープ３５から剥離紙を剥がし、この投入口用蓋２９を閉状態にし、投入口２４に設けられているビニールシート３３に粘着テープ３５を貼り付けて、ビニールシート３３の切込み３４を塞ぐ。そして、この箱２０ごと、燃えるゴミとして処理する。
【００２６】
以上のように、本実施形態では、箱２０内に使用済み生理用品本体１０が入っているとき、蓋２１の外周は粘着テープ３０で密封され、投入口２４が投入口用蓋２９でしっかりと閉じられるので、箱２０から外部へ悪臭等が洩れるのを防ぐことができる。
【００２７】
また、箱２０内で使用済みの生理用品本体１０がいっぱいになると、この箱２０ごと燃えるゴミとして処理できるので、使用済み生理用品の取り扱いを極めて簡便且つ清潔に行うことができる。
【００２８】
また、生理期間が過ぎれば、使用済み生理用品本体１０を入れておく容器、つまり本実施形態の箱２０を処分できるので、狭いトイレ空間を有効利用することができる。
【００２９】
なお、以上の実施形態では、箱２０の内部から外部へ液体が漏れ出るのを防ぐために、一対の側壁２５ａ，２５ｂの内面、一対の第二側壁２６ａ，２６ｂの内面、底壁２７の内面をそれぞれラミネート加工したが、この替わりに、図４に示すように、広げると箱２０の内容積と同じ大きさのビニール袋２８ａを投入口２４に取り付けてもよい。
【００３０】
また、投入口用蓋２９の揺動端側に、この蓋２９の開閉動作を容易にするための摘みを設けてもよい。
【００３１】
次に、図５を用いて、生理用品の第２の実施形態について説明する。
【００３２】
本実施形態の生理用品の箱２０ａは、第１の実施形態と同様に、長方形の天壁２２と、天壁２２に対向している長方形の底壁２７と、互いに向かい合っている一対の第一側壁２５ａ,２５ｂと、同じく互いに向かい合っている一対の第二側壁２６ａ,２６ｂと、を有している。
【００３３】
複数の生理用品本体が詰められているビニール袋を箱から取り出すための蓋は、第二側壁２６ａで形成されている。天壁２２には、第１の実施形態と同様に、投入口２４が形成されている。このように、投入口２４が形成される壁と、蓋を形成する壁とは、第１の実施形態のように同じ壁である必要はない。
【００３４】
第二側壁２６ａの縁には、剥離紙付きの粘着テープ３０ａが貼り付けられている。この粘着テープ３０ａは、ユーザが箱２０ａ内のビニール袋を取り出した後、第二側壁２６ａ、つまり蓋の外周を密封するために使用される。このように、蓋２６ａの外周を密封するための粘着テープ３０ａは、蓋側に貼り付けておいてもよい。
【００３５】
投入口２４を塞ぐ投入口用蓋２９ａは、本実施形態では、投入口２４と同形状及び同サイズである。このため、本実施形態では、投入口２４の予定領域の外縁の一部にミシン目を形成しておき、ユーザにこのミシン目を切断させて、投入口２４を形成させ、この投入口２４の予定領域を形成していた部分を投入口用蓋２９ａにさせる。この投入口用蓋２９ａ、又は、投入口２４の近傍には、この投入口用蓋２９ａを閉状態に保持しておくための粘着テープ３２ｃを貼り付けておく。
【００３６】
以上、本発明に係る生理用品の各実施形態を説明したが、以上の実施形態のように、蓋の外周を密封するために、蓋の揺動軸となる辺を除く全辺に粘着テープを施す必要はなく、一部にのみ粘着テープを施してもよい。また、以上の実施形態では、蓋を閉状態に保持しておく手段として、粘着テープを用いているが、蓋の端に舌片を形成しておき、この舌片を箱本体の切欠き穴に差し込むことで、蓋を閉状態に保持するようにしてもよい。つまり、閉状態保持手段は、蓋を閉状態に保持できるものであれば如何なるものであってもよい。但し、悪臭漏れを防ぐ観点からは、以上の実施形態のように粘着テープを用いることが望ましい。
【００３７】
また、以上の実施形態では、投入口２４に、切込み３４入りのビニールシート３３や、投入口用蓋２９,２９ａを設けたが、いずれか一方のみを設けても、また、いずれも設けなくてもよい。但し、両方とも設けた方が、悪臭漏れを防ぐ観点から望ましいことは言うまでもない。
【００３８】
また、以上の実施形態において、箱２０の中に、使用済み生理を入れるための予備箱を折り畳まれた状態で入れておいてもよい。この場合、予備箱にも、投入口や投入口用蓋を設けておくことは言うまでもない。また、完成している予備箱の替わりに、この予備箱の展開品を入れておいてもよい。この場合、この展開品の各壁相互のつなぎ目部分には、いずれか一方の壁に糊代部分を形成しておき、そこに粘着材を施し、その上から剥離紙を設けておくことが好ましい。
【図面の簡単な説明】
【００３９】
【図１】本発明に係る第１の実施形態における生理用品の斜視図である。
【図２】図１におけるII−II線断面図である。
【図３】本発明に係る第１の実施形態における、使用済み生理用品本体を入れる際の箱の断面図である。
【図４】本発明に係る第１の実施形態の変形例の箱の断面図である。
【図５】本発明に係る第２の実施形態における箱の斜視図である。
【符号の説明】
【００４０】
１０：生理用品本体、１１：ビニール袋、２０,２０a：箱、２１,２６a：蓋、２２：天壁、２４：投入口、２５ａ，２５ｂ:第一側壁、２６ａ，２６ｂ：第二側壁、２７：底壁、２８：ラミネート用樹脂、２８ａ：ビニール袋、２９，２９ａ：投入口用蓋、３０，３０ａ：粘着テープ、３１：剥離紙、３２ａ，３２ｂ：マジックテープ、３２ｃ：粘着テープ、３３：ビニールシート、３４：切込み、３５：剥離紙付き粘着テープ
【図１】
2006325906.tif 000003
【図２】
2006325906.tif 000004
【図３】
2006325906.tif 000005
【図４】
2006325906.tif 000006
【図５】
2006325906.tif 000007